【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
少なくとも１つの関連付けられる生理学的センサによりブロードキャストされる医療情報データストリームを処理する装置であって、
前記少なくとも１つの関連付けられるセンサによりデータストリーム搬送周波数でブロードキャストされた個別の医療情報データストリームを受信し、前記個別の医療情報データストリームを搬送する非電気信号を送信する第１の無線機を含む第１のハブと、
第２の無線機を含む第２のハブと、
前記第１のハブと前記第２のハブとの間の光ファイバケーブルであって、前記リンクを介して、前記個別の医療情報データストリームを運ぶ前記非電気信号が、前記第１の無線機から前記第２の無線機に通信される、光ファイバケーブルとを有し、
前記第２の無線機が、医療情報データストリームを搬送する非電気信号を前記第１の無線機から受信し、前記少なくとも１つの関連付けられるセンサによるブロードキャストに関する所定のタイムラグを伴い、前記データストリーム搬送周波数で前記医療情報データストリームを再ブロードキャストする、装置。
【請求項２】
前記少なくとも１つのセンサにより前記データストリーム搬送周波数でブロードキャストされた前記個別の医療情報データストリームを受信し、前記規定されたタイムラグを伴う前記データストリーム搬送周波数での前記医療情報データストリームの前記第２の無線機からの再ブロードキャストを受信する無線機を含む患者モニタを更に有する、請求項１に記載の装置。
【請求項３】
前記第１のハブが、１つ又は複数のセンサから複数の個別の医療情報データストリームを受信し、前記複数の個別の医療情報データストリームを単一のデータストリームにバンドル化し、前記単一のデータストリームを運ぶ前記非電気信号を前記光ファイバケーブルを介して前記第２の無線機に送信するマルチプレクサを含み、
前記第２のハブは、前記光ファイバケーブルから前記単一のデータストリームを受信し、前記単一のデータストリームを前記個別のデータストリームにデバンドル化し、前記個別のデータストリームを前記患者モニタに再送信するデマルチプレクサを含む、請求項２に記載の装置。
【請求項４】
前記患者モニタが、前記ブロードキャスト及び前記再ブロードキャストの１つを選択し、前記ブロードキャスト及び前記再ブロードキャストの選択された１つから前記医療情報データストリームを読み出す、請求項２に記載の装置。
【請求項５】
前記患者モニタが、少なくとも前記ブロードキャストの信号強度メトリックに基づき、前記ブロードキャスト及び前記再ブロードキャストの１つを選択する、請求項４に記載の装置。
【請求項６】
前記第１のハブが、前記関連付けられるセンサのそれぞれに対応する少なくとも１つの第１の物理ポートであって、各第１のポートは、前記対応するセンサから医療情報データを受信する、少なくとも１つの第１の物理ポートを含み、
前記第２ハブが、前記第１のポートのそれぞれに対応する少なくとも１つの第２の物理ポートであって、各第２のポートは、前記光ファイバケーブルを介して前記対応する第１のポートから前記医療情報データを受信する、少なくとも１つの第２の物理ポート含む、請求項１乃至５の任意の一項に記載の装置。
【請求項７】
前記第２のハブが、関連付けられる病院情報システムに前記第２の無線機からデータを送信する病院情報システム通信リンクを含む、請求項１乃至６の任意の一項に記載の装置。
【請求項８】
磁気共鳴撮像システムであって、
磁石室に配置されるＭＲＩ撮像デバイスと、
前記磁石室を囲むファラデーケージと、
前記ＭＲＩ撮像デバイスにおける患者に配置される少なくとも１つの関連するセンサによりブロードキャストされた医療情報データストリームを処理する請求項１乃至７のいずれか一項に記載の装置とを有し、
前記第１のハブが、前記ファラデーケージの内部に配置され、前記第２のハブは、前記ファラデーケージの外部に配置され、前記光ファイバケーブルが、前記ファラデーケージを通過する、磁気共鳴撮像システム。
【請求項９】
少なくとも１つの関連付けられる生理学的センサによりブロードキャストされた生理学的データストリームを処理する方法において、
第１の無線機を含む第１のハブで、前記少なくとも１つの関連付けられる生理学的センサによりデータストリーム搬送周波数でブロードキャストされる個別の生理学的データストリームを受信するステップと、
第２の無線機を含む第２のハブに、前記第１の無線機と前記第２の無線機との間の光ファイバケーブルを介して、前記個別の生理学的データストリームを運ぶ非電気信号を第１の無線機で送信するステップと、
前記第１の無線機からの前記生理学的データストリームを運ぶ前記非電気信号を前記第２の無線機で受信するステップと、
前記少なくとも１つの関連付けられる生理学的センサによる前記ブロードキャストに関する所定のタイムラグを伴い、前記データストリーム搬送周波数で前記生理学的データストリームを前記第２の無線機で再ブロードキャストするステップとを有する、方法。
【請求項１０】
無線機を含む患者モニタで、
前記少なくとも１つの生理学的センサにより前記データストリーム搬送周波数でブロードキャストされる前記個別の生理学的データストリームを受信するステップと、
前記所定のタイムラグを伴う前記データストリーム搬送周波数での前記生理学的データストリームの前記第２の無線からの再ブロードキャストを受信するステップとを更に有する、請求項９に記載の方法。
【請求項１１】
前記第１のハブで、
前記少なくとも１つの関連付けられる生理学的センサから複数の個別の生理学的データストリームを受信するステップと、
各生理学的データストリームを単一のデータストリームにバンドルするステップと、
前記単一のデータストリームを運ぶ非電気信号を前記光ファイバケーブルを介して前記第２の無線機に送信するステップと、
前記第２のハブで、
前記光ファイバケーブルから前記単一のデータストリームを受信するステップと、
前記単一のデータストリームを前記個別のデータストリームにデバンドリングするステップと、
前記個別のデータストリームを前記患者モニタに再送信するステップとを更に有する、請求項１０に記載の方法。
【請求項１２】
前記患者モニタで、前記ブロードキャストと前記再ブロードキャストの１つを選択し、前記ブロードキャストと前記再ブロードキャストの前記選択された１つから前記生理学的データストリームを読み出すステップを更に有する、請求項１１に記載の方法。
【請求項１３】
前記患者モニタで、前記少なくとも１つのブロードキャストの信号強度メトリックに基づき、前記ブロードキャスト及び前記再ブロードキャストの１つを選択するステップを更に有する、請求項１２に記載の方法。
【請求項１４】
前記関連付けられる生理学的センサのそれぞれに対応する前記第１のハブの少なくとも１つの第１の物理ポートで、前記対応する生理学的センサから生理学的データを受信するステップと、
前記第１のポートのそれぞれに対応する前記第２のハブの少なくとも１つの第２の物理ポートで、前記光ファイバケーブルを介して前記対応する第１のポートから前記生理学的データを受信するステップとを更に有する、請求項１０乃至１３の任意の一項に記載の方法。
【請求項１５】
前記第２のハブの病院情報システム通信リンクで、前記第２の無線機から関連付けられる病院情報システムにデータを送信するステップを更に有する、請求項１０乃至１４の任意の一項に記載の方法。